(57)【要約】本開示の実施例はショッピングカート、ショッピングカートリマインド方法及び装置に関する。ショッピングカートは、本体と、本体に接続され、ユーザの商品プリファレンス情報を取得するように構成されるユーザ情報取得部と、本体に接続され、商品のキー情報を取得するように構成される商品情報取得部と、本体、ユーザ情報取得部及び商品情報取得部にそれぞれ接続され、商品のキー情報が商品プリファレンス情報とマッチングしない場合、商品に対応するリマインド操作を実行するように構成され、その中、リマインド操作が、商品が商品プリファレンス情報と合わないことをユーザにリマインドすることに用いられるコントローラとを備える。【選択図】図１
2019537759.tif 000002
【特許請求の範囲】
【請求項１】
ショッピングカートであって、
本体と、
前記本体に接続され、ユーザの商品プリファレンス情報を取得するように構成されるユーザ情報取得部と、
前記本体に接続され、商品のキー情報を取得するように構成される商品情報取得部と、
前記本体、前記ユーザ情報取得部及び商品情報取得部にそれぞれ接続され、前記商品のキー情報が前記商品プリファレンス情報とマッチングしない場合、前記商品に対応するリマインド操作を実行するように構成され、前記リマインド操作が、前記商品が前記商品プリファレンス情報と合わないことを前記ユーザにリマインドすることに用いられるコントローラとを備える、前記ショッピングカート。
【請求項２】
前記商品情報取得部は、
前記商品のバーコードをスキャンし、商品のキー情報を得るように構成されるスキャナ、又は、
商品棚から送信された前記商品のキー情報を受信するように構成される受信機、又は、
前記商品のラベルをサンプリングしてサンプルピクチャーを得て、前記サンプルピクチャーを分析して前記商品のキー情報を得るように構成されるカメラを含むことを特徴とする
請求項１に記載のショッピングカート。
【請求項３】
前記コントローラは、前記商品のキー情報が前記商品プリファレンス情報とマッチングしない場合、
警告フラッシュを発するようにショッピングカートに固定された警告ライトを制御すること、又は、
プロンプト音を出力するように前記ショッピングカートに固定されたオーディオ再生装置を制御すること、又は、
前記ショッピングカートの表示パネルにリマインドメッセージを出力し、前記リマインドメッセージが、前記商品が前記商品プリファレンス情報と合わないことを前記ユーザにリマインドすることに用いられること、又は、
前記ユーザの端末へ指示メッセージを送信し、前記指示メッセージが、前記商品が前記商品プリファレンス情報と合わないことを前記ユーザにリマインドすることに用いられること、又は、
前記商品を前記ショッピングカートから移出するように前記ショッピングカートの機械アームを制御すること、又は、
商品棚へ移出命令を送信し、前記移出命令が前記商品棚の機械アームを使用して前記商品を前記ショッピングカートから移出するように前記商品棚に指示することに用いられること、
のいずれかの一つの前記商品に対応するリマインド操作又はそれらの組み合わせを実行することを特徴とする
請求項１に記載のショッピングカート。
【請求項４】
前記ユーザ情報取得部は、
前記ユーザの端末から送信された前記ユーザの商品プリファレンス情報を受信するように構成されるユーザ情報受信機、又は、
前記ユーザのショッピング履歴データを取得し、前記ユーザのショッピング履歴データに基づいて前記ユーザの商品プリファレンス情報を確定するように構成される確定モジュールを含むことを特徴とする
請求項１に記載のショッピングカート
【請求項５】
ショッピングカートリマインド方法であって、
ユーザの商品プリファレンス情報を取得することと、
商品のキー情報を取得することと、
前記商品のキー情報が前記商品プリファレンス情報とマッチングしない場合、前記商品に対応するリマインド操作を実行し、前記リマインド操作が、前記商品が前記商品プリファレンス情報と合わないことを前記ユーザにリマインドすることに用いられることとを含む、前記ショッピングカートリマインド方法。
【請求項６】
前記商品のキー情報を取得することは、
前記商品のバーコードをスキャンし、商品のキー情報を得ること、又は、
商品棚から送信された前記商品のキー情報を受信すること、又は、
前記ショッピングカートのカメラを呼び出して前記商品のラベルをサンプリングしてサンプルピクチャーを得て、前記サンプルピクチャーを分析して前記商品のキー情報を得ることを含むことを特徴とする
請求項５に記載の方法。
【請求項７】
前記商品に対応するリマインド操作は、
警告フラッシュを発するようにショッピングカートに固定された警告ライトを制御すること、又は、
プロンプト音を出力するように前記ショッピングカートに固定されたオーディオ再生装置を制御すること、又は、
前記ショッピングカートの表示パネルにリマインドメッセージを出力し、前記リマインドメッセージが、前記商品が前記商品プリファレンス情報と合わないことを前記ユーザにリマインドすることに用いられること、又は、
前記ユーザの端末へ指示メッセージを送信し、前記指示メッセージが、前記商品が前記商品プリファレンス情報と合わないことを前記ユーザにリマインドすることに用いられること、又は、
前記商品を前記ショッピングカートから移出するように前記ショッピングカートの機械アームを制御すること、又は、
商品棚へ移出命令を送信し、前記移出命令が前記商品棚の機械アームを使用して前記商品を前記ショッピングカートから移出するように前記商品棚に指示することに用いられること、
のいずれかの一つ又はそれらの組み合わせを含むことを特徴とする
請求項５に記載の方法。
【請求項８】
前記ユーザの商品プリファレンス情報を取得することは、
前記ユーザの端末から送信された前記ユーザの商品プリファレンス情報を受信すること、又は、
前記ユーザのショッピング履歴データを取得し、前記ユーザのショッピング履歴データに基づいて前記ユーザの商品プリファレンス情報を確定することを含むことを特徴とする
請求項５に記載の方法。
【請求項９】
前記ユーザの商品プリファレンス情報は、商品の残りの品質保証期限好み、食品の食感好み、食品の成分好み、衣類の組成好みのいずれかの一つ又はそれらの組み合わせを含むことを特徴とする
請求項５に記載の方法。
【請求項１０】
ショッピングカートリマインド装置は、
ユーザの商品プリファレンス情報を取得するように構成される第一の取得モジュールと、
商品のキー情報を取得するように構成される第二の取得モジュールと、
前記商品のキー情報が前記商品プリファレンス情報とマッチングしない場合、前記商品に対応するリマインド操作を実行するように構成され、前記リマインド操作が、前記商品が前記商品プリファレンス情報と合わないことを前記ユーザにリマインドすることに用いられるリマインドモジュールとを備える、前記ショッピングカートリマインド装置。
【請求項１１】
前記第二の取得モジュールは前記商品のバーコードをスキャンし、商品のキー情報を得て、又は、
前記第二の取得モジュールは商品棚から送信された前記商品のキー情報を受信し、又は、
前記第二の取得モジュールは前記ショッピングカートのカメラを呼び出して前記商品のラベルをサンプリングしてサンプルピクチャーを得て、前記サンプルピクチャーを分析して前記商品のキー情報を得ることを特徴とする
請求項１０に記載の装置。
【請求項１２】
前記第一の取得モジュールは前記ユーザの端末から送信された前記ユーザの商品プリファレンス情報を受信し、又は、
前記第一の取得モジュールは前記ユーザのショッピング履歴データを取得し、前記ユーザのショッピング履歴データに基づいて前記ユーザの商品プリファレンス情報を確定することを特徴とする
請求項１０に記載の装置。
【請求項１３】
ショッピングカートリマインド装置であって、
プロセッサと、
プロセッサ実行可能命令を記憶するように構成されるメモリとを備え、
ここで、前記プロセッサは、
ユーザの商品プリファレンス情報を取得し、
商品のキー情報を取得し、
前記商品のキー情報が前記商品プリファレンス情報とマッチングしない場合、前記商品に対応するリマインド操作を実行するように構成され、前記リマインド操作が、前記商品が前記商品プリファレンス情報と合わないことを前記ユーザにリマインドすることに用いられる、ショッピングカートリマインド装置。
【請求項１４】
コンピュータ可読記憶媒体であって、コンピュータ命令を記憶し、前記命令がプロセッサに実行されると請求項５−９のいずれか一項に記載の方法のステップを実現する、前記コンピュータ可読記憶媒体。
【発明の詳細な説明】
【技術分野】
【０００１】
関連出願への相互参照
本出願は２０１７年１０月１０日に提出された出願番号が２０１７１０９３６９５２．８である中国特許の優先権を主張し、該中国特許のすべての内容は参照により本明細書に組み込まれる。
【０００２】
本開示はスマートデバイス技術分野に関し、特にショッピングカート、ショッピングカートリマインド方法及び装置に関する。
【背景技術】
【０００３】
ショッピングカートは、スーパーマーケットなどの様々なセルフサービスショッピングモールでよく見られる補助ショッピングツールであり、顧客が選択された商品をショッピングカートに一時的に格納することができる。ショッピングカートには、通常、さまざまな商品が格納できる複数層があり、一部が子供を載せることができる。
【発明の概要】
【発明が解決しようとする課題】
【０００４】
関連技術の問題を克服するために、本開示の実施例はショッピングカート、ショッピングカートリマインド方法及び装置を提供する。前記技術的解決策は以下の通りである。
【課題を解決するための手段】
【０００５】
本開示の実施例の第一の態様によるショッピングカートは、
本体と、
前記本体に接続され、ユーザの商品プリファレンス情報を取得するように構成されるユーザ情報取得部と、
前記本体に接続され、商品のキー情報を取得するように構成される商品情報取得部と、
前記本体、前記ユーザ情報取得部及び商品情報取得部にそれぞれ接続され、前記商品のキー情報が前記商品プリファレンス情報とマッチングしない場合、前記商品に対応するリマインド操作を実行するように構成され、前記リマインド操作が、前記商品が前記商品プリファレンス情報と合わないことを前記ユーザにリマインドすることに用いられるコントローラとを備える。
【０００６】
一つの実施例では、前記商品情報取得部は、
前記商品のバーコードをスキャンし、商品のキー情報を得るように構成されるスキャナ、又は、
商品棚から送信された前記商品のキー情報を受信するように構成される受信機、又は、
前記商品のラベルをサンプリングしてサンプルピクチャーを得て、前記サンプルピクチャーを分析して前記商品のキー情報を得るように構成されるカメラを含む。
【０００７】
一つの実施例では、前記コントローラは、前記商品のキー情報が前記商品プリファレンス情報とマッチングしない場合、
警告フラッシュを発するようにショッピングカートに固定された警告ライトを制御すること、又は、
プロンプト音を出力するように前記ショッピングカートに固定されたオーディオ再生装置を制御すること、又は、
前記ショッピングカートの表示パネルにリマインドメッセージを出力し、前記リマインドメッセージが、前記商品が前記商品プリファレンス情報と合わないことを前記ユーザにリマインドすることに用いられること、又は、
前記ユーザの端末へ指示メッセージを送信し、前記指示メッセージが前記商品が前記商品プリファレンス情報と合わないことを前記ユーザにリマインドすることに用いられること、又は、
前記商品を前記ショッピングカートから移出するように前記ショッピングカートの機械アームを制御すること、又は、
商品棚へ移出命令を送信し、前記移出命令が前記商品棚の機械アームを使用して前記商品を前記ショッピングカートから移出するように前記商品棚に指示することに用いられることのいずれかの前記商品に対応するリマインド操作又はそれらの組み合わせを実行する。
【０００８】
一つの実施例では、前記ユーザ情報取得部は、
前記ユーザの端末から送信された前記ユーザの商品プリファレンス情報を受信するように構成されるユーザ情報受信機、又は、
前記ユーザのショッピング履歴データを取得し、前記ユーザのショッピング履歴データに基づいて前記ユーザの商品プリファレンス情報を確定するように構成される確定モジュールを含む。
【０００９】
本開示の実施例の第二の態様によるショッピングカートリマインド方法は、
ユーザの商品プリファレンス情報を取得することと、
商品のキー情報を取得することと、
前記商品のキー情報が前記商品プリファレンス情報とマッチングしない場合、前記商品に対応するリマインド操作を実行し、前記リマインド操作が、前記商品が前記商品プリファレンス情報と合わないことを前記ユーザにリマインドすることに用いられることとを含む。
【００１０】
一つの実施例では、商品のキー情報を取得することは、
前記商品のバーコードをスキャンし、商品のキ−情報を得ること、又は、
商品棚から送信された前記商品のキー情報を受信すること、又は、
前記ショッピングカートのカメラを呼び出して前記商品のラベルをサンプリングしてサンプルピクチャーを得て、前記サンプルピクチャーを分析して前記商品のキー情報を得ることを含む。
【００１１】
一つの実施例では、前記商品に対応するリマインド操作は、
警告フラッシュを発するようにショッピングカートに固定された警告ライトを制御すること、又は、
プロンプト音を出力するように前記ショッピングカートに固定されたオーディオ再生装置を制御すること、又は、
前記ショッピングカートの表示パネルにリマインドメッセージを出力し、前記リマインドメッセージが、前記商品が前記商品プリファレンス情報と合わないことを前記ユーザにリマインドすることに用いられること、又は、
前記ユーザの端末へ指示メッセージを送信し、前記指示メッセージが、前記商品が前記商品プリファレンス情報と合わないことを前記ユーザにリマインドすることに用いられること、又は、
前記商品を前記ショッピングカートから移出するように前記ショッピングカートの機械アームを制御すること、又は、
商品棚へ移出命令を送信し、前記移出命令が前記商品棚の機械アームを使用して前記商品を前記ショッピングカートから移出するように前記商品棚に指示することに用いられることのいずれかの一つ又はそれら組み合わせを含む。
【００１２】
一つの実施例では、ユーザの商品プリファレンス情報を取得することは、
前記ユーザの端末から送信された前記ユーザの商品プリファレンス情報を受信すること、又は、
前記ユーザのショッピング履歴データを取得し、前記ユーザのショッピング履歴データに基づいて前記ユーザの商品プリファレンス情報を確定することを含む。
【００１３】
一つの実施例では、前記ユーザの商品プリファレンス情報は、商品の残りの品質保証期限好み、食品の食感好み、食品の成分好み、衣類の組成好みのいずれかの一つ又はそれらの組み合わせを含む。
【００１４】
本開示の実施例の第三の態様によるショッピングカートリマインド装置は、
ユーザの商品プリファレンス情報を取得するように構成される第一の取得モジュールと、
前記商品のキー情報を取得するように構成される第二の取得モジュールと、
前記商品のキー情報が前記商品プリファレンス情報とマッチングしない場合、前記商品に対応するリマインド操作を実行するように構成され、前記リマインド操作が、前記商品が前記商品プリファレンス情報と合わないことを前記ユーザにリマインドすることに用いられるリマインドモジュールとを備える。
【００１５】
一つの実施例では、前記第二の取得モジュールは前記商品のバーコードをスキャンし、商品のキー情報を得て、又は、
前記第二の取得モジュールは商品棚から送信された前記商品のキー情報を受信し、又は、
前記第二の取得モジュールは前記ショッピングカートのカメラを呼び出して前記商品のラベルをサンプリングしてサンプルピクチャーを得て、前記サンプルピクチャーを分析して前記商品のキー情報を得る。
【００１６】
一つの実施例では、前記第一の取得モジュールは前記ユーザの端末から送信された前記ユーザの商品プリファレンス情報を受信し、又は、
前記第一の取得モジュールは前記ユーザのショッピング履歴データを取得し、前記ユーザのショッピング履歴データに基づいて前記ユーザの商品プリファレンス情報を確定する。
【００１７】
本開示の実施例の第四の態様によるショッピングカートリマインド装置は、
プロセッサと、
プロセッサ実行可能命令を記憶するように構成されるメモリとを備え、
ここで、前記プロセッサは、
ユーザの商品プリファレンス情報を取得し、
商品のキー情報を取得し、
前記商品のキー情報が前記商品プリファレンス情報とマッチングしない場合、前記商品に対応するリマインド操作を実行するように構成され、前記リマインド操作が、前記商品が前記商品プリファレンス情報と合わないことを前記ユーザにリマインドすることに用いられる。
【００１８】
本開示の実施例の第五の態様によるコンピュータ可読記憶媒体は、コンピュータ命令を記憶し、該命令がプロセッサに実行されると上記第二の態様におけるいずれかの前記方法の実施例のステップを実現する。
【００１９】
本開示の実施例による技術的解決策は、該技術的解決策が商品のキー情報を分析することにより、商品のキー情報が商品プリファレンス情報とマッチングしない場合、商品が商品プリファレンス情報と合わないことをユーザに自動的にリマインドすることができ、商品のラベルを手動で確認する必要がなく、商品情報確認のインテリジェントを実現し、ユーザが買い物に利便性を与え、ユーザエクスペリエンスを向上させるという有益な効果を含むことができる。
【００２０】
理解すべきものとして、以上の一般的な説明と以下の詳細な説明が例示的又は解釈的だけであるが、本開示を制限するものではない。
【図面の簡単な説明】
【００２１】
【図１】一つの例示的な実施例によるショッピングカートのブロック図である。
【図２】一つの例示的な実施例によるショッピングカートリマインド方法のフローチャートである。
【図３】一つの例示的な実施例によるショッピングカートリマインド方法のフローチャートである。
【図４】一つの例示的な実施例によるショッピングカートリマインド装置のブロック図である。
【図５】一つの例示的な実施例によるショッピングカートリマインド装置のブロック図である。
【図６】一つの例示的な実施例による装置のブロック図である。
【図７】一つの例示的な実施例による装置のブロック図である。
【発明を実施するための形態】
【００２２】
ここでの図面は説明書に組み込まれて本明細書の一部を構成し、本開示と一致する実施例を示し、且つ明細書と共に本開示の実施例の原理を説明することに用いられる。
【００２３】
ここで例示的な実施例を詳細に説明し、その例が図面に示される。以下の説明が図面に関する場合、特に断りのない限り、異なる図面の同じ数字が同じ又は類似の要素を表す。以下の例示的な実施例で説明される実施形態は本開示の実施例と一致する全ての実施形態を表しない。逆に、それらは添付の特許請求の範囲に詳述される、本開示の実施例のいくつかの態様と一致する装置及び方法の例だけである。
【００２４】
関連技術では、顧客がモール又はスーパーマーケットで買い物をする時に、ショッピングカートを使用し、選択された商品を一時的に格納することができる。実際には、ユーザは、買い物をする時に商品に対していくつかの好みを持つ可能性があり、例えば、ミルクの残りの品質保証期限が1週間で、パンの残りの品質保証期限が３日間で、単独パッキング食品の残りの品質保証期限が６カ月以上であるなどの購入要求のような食品の品質保証期限に対する要求があり、また例えば、いくつかのユーザが辛い食べ物が好きではなく、又は苦い食べ物が好きではないなどの食品の食感に対する要求があり、また例えば、ユーザが妊娠している時に、いくつかの成分を含有する食物を食べることができず、アレルギーの病歴がある時に、アレルギー成分を含有する食物又は着用物品を購入してはいけず、ユーザが最近特定の薬を服用する時に、薬と衝突する成分を含有する食品を購入してはいけず、糖尿病患者に対して、砂糖摂取量に対する要求があるなどの商品の成分に対する要求がある。しかしながら、ユーザは製品の品質保証期限及び／又は成分を識別するために、購入する製品のラベルを一つずつ手動で確認する必要があり、確認過程が面倒であり、特に子供を持つ両親にとっては非常に不便であり、視力低下の高齢者にとっては非常に困難であり、その結果、ユーザエクスペリエンスが悪くなる。
【００２５】
上記問題を解決するために、本開示の実施例によるショッピングカートは、本体と、本体に接続され、ユーザの商品プリファレンス情報を取得するように構成されるユーザ情報取得部と、本体に接続され、商品のキー情報を取得するように構成される商品情報取得部と、本体、ユーザ情報取得部及び商品情報取得部にそれぞれ接続され、商品のキー情報が商品プリファレンス情報とマッチングしない場合、商品に対応するリマインド操作を実行するように構成され、リマインド操作が、商品が商品プリファレンス情報と合わないことをユーザにリマインドすることに用いられるコントローラとを備える。本開示の実施例は、商品のキー情報を分析することにより、商品のキー情報が商品プリファレンス情報とマッチングしない場合、商品が商品プリファレンス情報と合わないことをユーザに自動的にリマインドすることができ、商品のラベルを手動で確認する必要がなく、商品情報確認のインテリジェントを実現し、ユーザが買い物に利便性を与え、ユーザエクスペリエンスを向上させる。
【００２６】
図１は一つの例示的な実施例によるショッピングカートのブロック図であり、図１に示すように、ショッピングカートは、商品を格納するように構成される本体１１、ユーザ情報取得部１２、商品情報取得部１３及びコントローラ１４を備え、その中、
ユーザ情報取得部１２が本体１１に接続され、ユーザの商品プリファレンス情報を取得するように構成され、
商品情報取得部１３が本体１１に接続され、商品のキー情報を取得するように構成され、
コントローラ１４は本体１１、ユーザ情報取得部１２及び商品情報取得部１３にそれぞれ接続され、商品のキー情報が商品プリファレンス情報とマッチングしない場合、商品に対応するリマインド操作を実行するように構成され、リマインド操作が、商品が商品プリファレンス情報と合わないことをユーザにリマインドすることに用いられる。
【００２７】
例示的に、ユーザの商品プリファレンス情報は、商品の残りの品質保証期限好み、食品の食感好み、食品の成分好み、衣類の組成好みのいずれかの一つ又はそれらの組み合わせを含む。例えば、ユーザは、ミルクの残りの品質保証期限が1週間で、パンの残りの品質保証期限が３日間で、単独パッキング食品の残りの品質保証期限が６カ月以上であるなどの購入要求のような食品の品質保証期限に対する要求があり、また例えば、いくつかのユーザが辛い食べ物が好きではなく、又は苦い食べ物が好きではないなどの食品の食感に対する要求があり、また例えば、ユーザが妊娠している時に、いくつかの成分を含有する食物を食べることができず、アレルギーの病歴がある時に、アレルギー成分を含有する食物又は着用物品を購入してはいけず、ユーザが最近特定の薬を服用する時に、薬と衝突する成分を含有する食品を購入してはいけず、糖尿病患者に対して、砂糖摂取量に対する要求があるなどの商品の成分に対する要求がある。
【００２８】
例示的に、ユーザ情報取得部１２はユーザ情報受信機、及び／又は確定モジュールを含むことができ、その中、ユーザ情報受信機がユーザの端末から送信されたユーザの商品プリファレンス情報を受信するように構成され、確定モジュールがユーザのショッピング履歴データを取得し、ユーザのショッピング履歴データに基づいてユーザの商品プリファレンス情報を確定するように構成される。
【００２９】
例示的に、ユーザ情報取得部１２はユーザの商品プリファレンス情報を予め取得することができ、ユーザが商品を手に取って確認する場合、又は、ユーザが商品の近くにいる場合、又は、ユーザが商品をショッピングカートに入れた場合、商品情報取得部１３は商品のキー情報を取得し、その後、コントローラ１４は商品のキー情報が商品プリファレンス情報とマッチングするか否かを判定し、商品のキー情報が商品プリファレンス情報とマッチングする場合、プロセスが終了し、商品のキー情報が商品プリファレンス情報とマッチングしない場合、コントローラ１４は、
ａ）警告フラッシュを発するようにショッピングカートに固定された警告ライトを制御すること、
ｂ）プロンプト音を出力するようにショッピングカートに固定されたオーディオ再生装置を制御すること、
ｃ）ショッピングカートの表示パネルにリマインドメッセージを出力し、リマインドメッセージが、商品が商品プリファレンス情報と合わないことをユーザにリマインドすることに用いられること、
ｄ）ユーザの端末へ指示メッセージを送信し、指示メッセージが、商品が商品プリファレンス情報と合わないことをユーザにリマインドすることに用いられること、
ｅ）商品をショッピングカートから移出するようにショッピングカートの機械アームを制御すること、
ｆ）商品棚へ移出命令を送信し、移出命令が商品棚の機械アームを使用して商品を前記ショッピングカートから移出するように商品棚に指示することに用いられることのいずれかの商品に対応するリマインド操作又はそれらの組み合わせを実行する。
【００３０】
例示的に、商品情報取得部１３は、スキャナ、受信機又はカメラのいずれかの部又はそれらの組み合わせを含むことができ、その中、スキャナが商品のバーコードをスキャンし、商品のキー情報を得るように構成され、受信機が商品棚から送信された商品のキー情報を受信するように構成され、カメラが商品のラベルをサンプリングしてサンプルピクチャーを得て、サンプルピクチャーを分析して商品のキー情報を得るように構成される。
【００３１】
本開示の実施例による技術的解決策は、商品のキー情報を分析することにより、商品のキー情報が商品プリファレンス情報とマッチングしない場合、商品が商品プリファレンス情報と合わないことをユーザに自動的にリマインドすることができ、商品のラベルを手動で確認する必要がなく、商品情報確認のインテリジェントを実現し、ユーザーが買い物に利便性を与え、ユーザーエクスペリエンスを向上させる。
【００３２】
上記の本開示の装置の実施例に基づき、以下に本開示の方法の実施例を説明する。
【００３３】
図２は一つの例示的な実施例によるショッピングカートリマインド方法のフローチャートであり、図２に示すように、該方法は以下のステップ２０１−２０３を含む。
【００３４】
ステップ２０１で、ユーザの商品プリファレンス情報を取得する。
【００３５】
例示的に、ユーザの商品プリファレンス情報は、商品の残りの品質保証期限好み、食品の食感好み、食品の成分好み、衣類の組成好みのいずれかの一つ又はそれらの組み合わせを含む。例えば、ユーザは、ミルクの残りの品質保証期限が1週間で、パンの残りの品質保証期限が３日間で、単独パッキング食品の残りの品質保証期限が６カ月以上であるなどの購入要求のような食品の品質保証期限に対する要求があり、また例えば、いくつかのユーザが辛い食べ物が好きではなく、又は苦い食べ物が好きではないなどの食品の食感に対する要求があり、また例えば、ユーザが妊娠している時に、いくつかの成分を含有する食物を食べることができず、アレルギーの病歴がある時に、アレルギー成分を含有する食物又は着用物品を購入してはいけず、ユーザが最近特定の薬を服用する時に、薬と衝突する成分を含有する食品を購入してはいけず、糖尿病患者に対して、砂糖摂取量に対する要求があるなどの商品の成分に対する要求がある。
【００３６】
例示的に、ユーザの商品プリファレンス情報を取得する実現方式は、
方式１、ユーザの端末から送信されたユーザの商品プリファレンス情報を受信すること、
方式２、ユーザのショッピング履歴データを取得し、ユーザのショッピング履歴データに基づいてユーザの商品プリファレンス情報を確定すること、
方式３、ユーザの端末装置から送信されたユーザの身体健康情報を受信し、ユーザの身体健康情報に基づき、ユーザの商品プリファレンス情報を確定することのいずれかの方式又はそれらの組み合わせを含むことができる。
【００３７】
ステップ２０２で、商品のキー情報を取得する。
【００３８】
例示的に、商品のキー情報を取得する実現方式は、方式１）商品のバーコードをスキャンし、商品のキー情報を得ること、方式２）商品棚から送信された商品のキー情報を受信すること、方式３）ショッピングカートのカメラを呼び出して商品のラベルをサンプリングしてサンプルピクチャーを得て、サンプルピクチャーを分析して商品のキー情報を得ることのいずれかの方式又はそれらの組み合わせを含むことができる。
【００３９】
説明すべきものとして、ステップ２０１とステップ２０２の実行プロセスは、特定の順序で実行されず、まずステップ２０１を実行し、次にステップ２０２を実行することができ、先にステップ２０２を実行し、次にステップ２０１を実行することもでき、又はステップ２０１とステップ２０２を同時に実行することができ、本開示はこれに限定されない。
【００４０】
ステップ２０３で、商品のキー情報が商品プリファレンス情報とマッチングしない場合、商品に対応するリマインド操作を実行し、リマインド操作が、商品が商品プリファレンス情報と合わないことをユーザにリマインドすることに用いられる。
【００４１】
例示的に、ユーザが商品を手に取って確認する場合、又は、ユーザが商品の近くにいる場合、又は、ユーザが商品をショッピングカートに入れた場合、ショッピングカートは商品のキー情報を取得し、その後、商品のキー情報が商品プリファレンス情報とマッチングするか否かを判定し、商品のキー情報が商品プリファレンス情報とマッチングする場合、プロセスが終了し、商品のキー情報が商品プリファレンス情報とマッチングしない場合、
ａ）警告フラッシュを発するようにショッピングカートに固定された警告ライトを制御すること、
ｂ）プロンプト音を出力するようにショッピングカートに固定されたオーディオ再生装置を制御すること、
ｃ）ショッピングカートの表示パネルにリマインドメッセージを出力し、リマインドメッセージが、商品が商品プリファレンス情報と合わないことをユーザにリマインドすることに用いられること、
ｄ）ユーザの端末へ指示メッセージを送信し、指示メッセージが、商品が商品プリファレンス情報と合わないことをユーザにリマインドすることに用いられること、
ｅ）商品をショッピングカートから移出するようにショッピングカートの機械アームを制御すること、
ｆ）商品棚へ移出命令を送信し、移出命令が商品棚の機械アームを使用して商品をショッピングカートから移出するように商品棚に指示することに用いられることのいずれかの商品に対応するリマインド操作又はそれらの組み合わせを実行する。
【００４２】
本開示の実施例による技術的解決策は、商品のキー情報を分析することにより、商品のキー情報が商品プリファレンス情報とマッチングしない場合、商品が商品プリファレンス情報と合わないことをユーザに自動的にリマインドすることができ、商品のラベルを手動で確認する必要がなく、商品情報確認のインテリジェントを実現し、ユーザーが買い物に利便性を与え、ユーザーエクスペリエンスを向上させる。
【００４３】
図３は一つの例示的な実施例によるショッピングカートリマインド方法のフローチャートであり、図３に示すように、該方法は、以下のステップを含む。
【００４４】
ステップ３０１で、ユーザのショッピング履歴データを取得する。
【００４５】
ステップ３０２で、ユーザのショッピング履歴データに基づいてユーザの商品プリファレンス情報を確定する。
【００４６】
例示的に、ユーザの商品プリファレンス情報は、商品の残りの品質保証期限好み、食品の食感好み、食品の成分好み、衣類の組成好みのいずれかの一つ又はそれらの組み合わせを含む。
【００４７】
ステップ３０３で、商品のバーコードをスキャンし、商品のキー情報を得る。
【００４８】
ステップ３０４で、商品のキー情報が商品プリファレンス情報とマッチングするか否かを判定し、商品のキー情報が商品プリファレンス情報とマッチングする場合、プロセスが終了し、商品のキー情報が商品プリファレンス情報とマッチングしない場合、ステップ３０５に進む。
【００４９】
ステップ３０５で、商品に対応するリマインド操作を実行し、リマインド操作が、商品が商品プリファレンス情報と合わないことをユーザにリマインドすることに用いられる。
【００５０】
例示的に、商品に対応するリマインド操作は、警告フラッシュを発するようにショッピングカートに固定された警告ライトを制御すること、又は、プロンプト音を出力するようにショッピングカートに固定されたオーディオ再生装置を制御すること、又は、ショッピングカートの表示パネルにリマインドメッセージを出力し、リマインドメッセージが商品が商品プリファレンス情報と合わないことをユーザにリマインドすることに用いられること、又は、ユーザの端末へ指示メッセージを送信し、指示メッセージが、商品が商品プリファレンス情報と合わないことをユーザにリマインドすることに用いられること、又は、商品をショッピングカートから移出するようにショッピングカートの機械アームを制御すること、又は、商品棚へ移出命令を送信し、移出命令が商品棚の機械アームを使用して商品をショッピングカートから移出するように商品棚に指示することに用いられることのいずれかの操作又はそれらの組み合わせを少なくとも実行する。
【００５１】
本開示の実施例による技術的解決策は、商品のキー情報を分析することにより、商品のキー情報が商品プリファレンス情報とマッチングしない場合、商品が商品プリファレンス情報と合わないことをユーザに自動的にリマインドすることができ、商品のラベルを手動で確認する必要がなく、商品情報確認のインテリジェントを実現し、ユーザが買い物に利便性を与え、ユーザエクスペリエンスを向上させる。
【００５２】
下記は本開示の装置の実施例であり、本開示の方法の実施例を実行することに用いられてもよい。
【００５３】
図４は一つの例示的な実施例によるショッピングカートリマインド装置のブロック図であり、該装置は様々な方式で実施されてもよく、例えばショッピングカート側で結合の方式で装置内の部を実施でき、該装置はソフトウェア、ハードウェア又は両者の組み合わせで上記の本開示に係る方法を実現することができ、図４に示すように、該ショッピングカートリマインド装置は、第一の取得モジュール４０１、第二の取得モジュール４０２及びリマインドモジュール４０３を備え、その中、
第一の取得モジュール４０１がユーザの商品プリファレンス情報を取得するように構成され、
第二の取得モジュール４０２が商品のキー情報を取得するように構成され、
リマインドモジュール４０３が商品のキー情報が商品プリファレンス情報とマッチングしない場合、商品に対応するリマインド操作を実行するように構成され、リマインド操作が、商品が商品プリファレンス情報と合わないことをユーザにリマインドすることに用いられる。
【００５４】
本開示の実施例による装置は図２に示す実施例の技術的解決策を実行するように構成されてもよく、その実行方式が有益な効果と類似するので、ここで説明を省略する。
【００５５】
一つの可能な実施形態では、第二の取得モジュール４０２は商品のバーコードをスキャンし、商品のキー情報を得て、又は、
第二の取得モジュール４０２は商品棚から送信された商品のキー情報を受信し、又は、
第二の取得モジュール４０２はショッピングカートのカメラを呼び出して商品のラベルをサンプリングしてサンプルピクチャーを得て、サンプルピクチャーを分析して商品のキー情報を得る。
【００５６】
一つの可能な実施形態では、第一の取得モジュール４０１はユーザの端末から送信された商品プリファレンス情報を受信し、又は、
第一の取得モジュール４０１はユーザのショッピング履歴データを取得し、ユーザのショッピング履歴データに基づいてユーザの商品プリファレンス情報を確定するように構成される。
【００５７】
図５は一つの例示的な実施例によるショッピングカートリマインド装置５００のブロック図であり、ショッピングカートリマインド装置５００はショッピングカートに適用し、ショッピングカートリマインド装置５００は、
プロセッサ５０１と、
プロセッサ実行可能命令を記憶するように構成されるメモリ５０２とを備え、
ここで、プロセッサ５０１は、
ユーザの商品プリファレンス情報を取得し、
商品のキー情報を取得し、
商品のキー情報が商品プリファレンス情報とマッチングしない場合、商品に対応するリマインド操作を実行するように構成され、リマインド操作が、商品が商品プリファレンス情報と合わないことをユーザにリマインドすることに用いられる。
【００５８】
一つの実施例では、上記プロセッサ５０１はさらに、
商品のバーコードをスキャンし、商品のキ−情報を得て、又は、
商品棚から送信された商品のキー情報を受信し、又は、
ショッピングカートのカメラを呼び出して商品のラベルをサンプリングしてサンプルピクチャーを得て、サンプルピクチャーを分析して商品のキー情報を得るように構成されてもよい。
【００５９】
例示的に、商品に対応するリマインド操作は、
警告フラッシュを発するようにショッピングカートに固定された警告ライトを制御すること、又は、
プロンプト音を出力するように前記ショッピングカートに固定されたオーディオ再生装置を制御すること、又は、
ショッピングカートの表示パネルにリマインドメッセージを出力し、リマインドメッセージが商品が商品プリファレンス情報と合わないことをユーザにリマインドすることに用いられること、又は、
ユーザの端末へ指示メッセージを送信し、指示メッセージが、商品が商品プリファレンス情報と合わないことをユーザにリマインドすることに用いられること、又は、
商品をショッピングカートから移出するようにショッピングカートの機械アームを制御すること、又は、
商品棚へ移出命令を送信し、移出命令が商品棚の機械アームを使用して商品をショッピングカートから移出するように商品棚に指示することに用いられることのいずれかの操作又はそれらの組み合わせを含む。
【００６０】
一つの実施例では、上記プロセッサ５０１はさらに、
ユーザの端末から送信されたユーザの商品プリファレンス情報を受信し、又は、
ユーザのショッピング履歴データを取得し、ユーザのショッピング履歴データに基づいてユーザの商品プリファレンス情報を確定するように構成されてもよい。
【００６１】
例示的に、ユーザの商品プリファレンス情報は、商品の残りの品質保証期限好み、食品の食感好み、食品の成分好み、衣類の組成好みのいずれかの一つ又はそれらの組み合わせを含む。
【００６２】
上記実施例における装置について、各モジュールが操作を実行する具体的な方式は既に該方法に関する実施例で詳細に説明されたので、ここで詳細な説明を省略する。
【００６３】
図６は一つの例示的な実施例による装置のブロック図である。例えば、装置６００は携帯電話、コンピュータ、デジタル放送端末、メッセージ送受信デバイス、ゲームコンソール、タブレット装置、医療機器、フィットネスデバイス、パーソナルデジタルアシスタント、ショッピングカートなどであってもよい。
【００６４】
図６を参照すると、装置６００は、処理部６０２、メモリ６０４、電源部６０６、マルチメディア部６０８、オーディオ部６１０、入力／出力（Ｉ／Ｏ）インタフェース６１２、センサ部６１４及び通信部６１６の一つ又は複数の部を備えることができる。
【００６５】
処理部６０２は一般的に装置６００の全体操作、例えば表示、通話、データ通信、カメラ操作及び記録操作と関連する操作を制御するように構成される。処理部６０２は、命令を実行し、上記の方法の全部又は一部のステップを完了するように、一つ又は複数のプロセッサ６２０を含むことができる。また、処理部６０２と他の部とのインタラクションを容易するために、処理部６０２は一つ又は複数のモジュールを含むことができる。例えば、マルチメディア部６０８と処理部６０２とのインタラクションを容易にするために、処理部６０２は複数のマルチメディアモジュールを含むことができる。
【００６６】
メモリ６０４は様々なタイプのデータを記憶して装置６００での操作をサポートするように構成される。これらのデータの例は、装置６００で操作されるアプリケーションプログラム又は方法のための命令、連絡先データ、電話帳データ、メッセージ、ピクチャー、ビデオなどを含む。メモリ６０４は、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクのようないずれかのタイプの揮発性又は不揮発性記憶装置又はそれらの組み合わせで実現されてもよい。
【００６７】
電源部６０６は装置６００の様々な部に電力を供給する。電源部６０６は電源管理システム、一つ又は複数の電源、及び装置６００のために電力を生成、管理及び割り当てることに関連する他の部を含むことができる。
【００６８】
マルチメディア部６０８は、該装置６００とユーザの間に提供された一つの出力インタフェースのスクリーンを含む。いくつかの実施例では、スクリーンは液晶ディスプレイ（ＬＣＤ）とタッチパネル（ＴＰ）を含むことができる。スクリーンがタッチパネルを含む場合、スクリーンは、ユーザからの入力信号を受信するように、タッチスクリーンとして実現されてもよい。タッチパネルは、タッチ、スライド及びタッチパネル上のジェスチャをセンシングするように、一つ又は複数のタッチセンサを含む。該タッチセンサはタッチ又はスライド動作の境界をセンシングするだけでなく、該タッチ又はスライド動作に関連する持続時間及び圧力を検出することができる。いくつかの実施例では、マルチメディア部６０８はフロントカメラ及び／又はリアカメラを含む。装置６００が動作モード、例えば撮影モード又はビデオモードにある場合、フロントカメラ及び／又はリアカメラは外部のマルチメディアデータを受信することができる。各フロントカメラ及び／又はリアカメラは固定された光学レンズシステムであってもよく、又は焦点距離及び光学ズーム能力を有している
オーディオ部６１０は、オーディオ信号を出力及び/又は入力するように構成される。例えば、オーディオ部６１０は、一つのマイクロフォン（ＭＩＣ）を含み、装置６００がコールモード、記録モード及び音声認識モードなどの動作モードにある場合、マイクロフォンは外部オーディオ信号を受信するように構成される。受信されたオーディオ信号はさらにメモリ６０４に格納されてもよく、又は通信部６１６を介して送信されてもよい。いくつかの実施例では、オーディオ部６１０は、オーディオ信号を出力するように構成される一つのスピーカをさらに含む。
【００６９】
Ｉ／Ｏインタフェース６１２は、処理部６０２と周辺インターフェイスモジュールの間にインタフェースを提供し、上記周辺インターフェイスモジュールはキーボード、クリックホイール、ボタンなどであってもよい。これらのボタンは、ホームボタン、音量ボタン、開始ボタン、ロックボタンなどを含むことができるがこれらに限定されない。
【００７０】
センサ部６１４は、装置６００に各方面の状態評価を提供するように構成される一つ又は複数のセンサを含む。例えば、センサ部６１４は装置６００のオン／オフ状態、該部が装置６００の表示器及びキーパッドであるような部の相対的な位置決めを検出することができ、センサ部６１４はさらに装置６００又は装置６００の一つの部の位置変化、ユーザと装置６００との接触の有無、装置６００の方位又は加速／減速及び装置６００の温度変化を検出することができる。センサ部６１４は、いかなる物理的接触がない時に近くの物体の存在を検出するように構成される近接センサを含むことができる。センサ部６１４はさらに、イメージングアプリケーションで使用するように構成されるＣＭＯＳ又はＣＣＤイメージセンサのような光センサを含むことができる。いくつかの実施例では、該センサ部６１４はさらに加速度センサ、ジャイロセンサ、磁気センサ、圧力センサ又は温度センサを含むことができる。
【００７１】
通信部６１６は、装置６００と他の装置との有線又は無線通信を容易にするように構成される。装置６００は、通信規格に基づく無線ネットワーク、例えばＷｉＦｉ、２Ｇ又は３Ｇ、又はそれらの組み合わせにアクセスすることができる。一つの例示的な実施例では、通信部６１６は、放送チャンネルを介して外部放送管理システムからの放送信号又は放送関連情報を受信する。一つの例示的な実施例では、該通信部６１６は短距離通信を促進するように、近距離通信（ＮＦＣ）モジュールをさらに含む。例えば、ＮＦＣモジュールは無線周波数識別（ＲＦＩＤＦ）技術、赤外線データ協会（ＩｒＤＡ）技術、超広帯域（ＵＷＢ）技術、ブルートゥース（登録商標）（ＢＴ）技術と他の技術に基づいて実現されてもよい。
【００７２】
例示的な実施例では、装置６００は、一つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又は他の電子素子によって実現されてもよく、上記方法を実行するように構成される。
【００７３】
例示的な実施例では、命令を含む非一時的コンピュータ可読記憶媒体、例えば命令を含むメモリ６０４が提供され、上記方法を完了するするために上記命令が装置６００のプロセッサによって実行されてもよい。例えば、該非一時的コンピュータ可読記憶媒体はＲＯＭ、ＣＤ−ＲＯＭ、磁気テープ、フロッピーディスク、光データ記憶装置などであってもよい。
【００７４】
図７は一つの例示な実施例による装置のブロック図である。例えば、装置７００はサーバーとして提供されてもよい。装置７００は処理部７０２を含み、それがさらに一つ又は複数のプロセッサ、及びメモリ７０３に表されるメモリリソースを含み、処理部７０２で実行可能な命令例えばアプリケーションプログラムを記憶するように構成される。メモリ７０３に記憶されたアプリケーションプログラムは１組の命令にそれぞれ対応する一つ以上のモジュールを含むことができる。また、処理部７０２は上記方法を実行するように、命令を実行するように構成される。
【００７５】
装置７００はさらに装置７００の電源管理を実行するように構成される一つの電源部７０６、装置７００をネットワークに接続するように構成される一つの有線又は無線のネットワークインタフェース７０５、及び一つの入出力（Ｉ／Ｏインタフェース７０８を備えることができる。装置７００はメモリ７０３に記憶されオペレーティングシステム、例えばＷｉｎｄｏｗｓ  Ｓｅｒｖｅｒ、Ｍａｃ  ＯＳ  ＸＴＭ、Ｕｎｉｘ、Ｌｉｎｕｘ（登録商標）、ＦｒｅｅＢＳＤ又は類似のものに基づいて操作することができる。
【００７６】
非一時的コンピュータ可読記憶媒体であって、記憶媒体内の命令が装置６００又は装置７００のプロセッサによって実行されると、装置６００又は装置７００は以下のリマインド方法を実行することができ、該リマインド方法は、
ユーザの商品プリファレンス情報を取得すること、
商品のキー情報を取得することと、
商品のキー情報が商品プリファレンス情報とマッチングしない場合、商品に対応するリマインド操作を実行し、リマインド操作が、商品が商品プリファレンス情報と合わないことをユーザにリマインドすることに用いられることとを含む。
【００７７】
当業者は明細書を考慮及びここで開示された開示を実施した後、本開示の他の実施形態を容易に想到する。本出願は本開示のいかなる変形、用途又は適応変更を包含することを意図しており、これらの変形、用途又は適応変更が本開示の一般的な原理に従い且つ本開示に開示されていない本技術分野における公知常識又は一般的な技術的手段を含む。明細書と実施例は例示的ものに過ぎないとみなされ、本開示の真の範囲及び精神は以下の請求項によって指摘される。
【００７８】
理解すべきものとして、本開示は、以上に説明され且つ図面に示された正確な構造に限定されず、その範囲から逸脱することなく様々な変更及び変形を行うことができる。本開示の範囲は、添付の特許請求の範囲のみによって限定される。
【産業上の利用可能性】
【００７９】
本開示の実施例による技術的解決策は、商品のキー情報を分析し、商品のキー情報が商品プリファレンス情報とマッチングしない場合、商品が商品プリファレンス情報と合わないことをユーザに自動的にリマインドすることができ、商品のラベルを手動で確認する必要がなく、商品情報確認のインテリジェントを実現し、ユーザが買い物に利便性を与え、ユーザエクスペリエンスを向上させる
【図１】
2019537759.tif 000003
【図２】
2019537759.tif 000004
【図３】
2019537759.tif 000005
【図４】
2019537759.tif 000006
【図５】
2019537759.tif 000007
【図６】
2019537759.tif 000008
【図７】
2019537759.tif 000009
【国際調査報告】
2019537759.tif 000010
2019537759.tif 000011
2019537759.tif 000012
2019537759.tif 000013
2019537759.tif 000014